Podtech/llm-jp-corpus-v4-ja_patent huggingface dataset:
【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】
【請求項１】  基板上にパッシベーション構造を形成する方法であって、この方法は、
基板の上に形成された導電層上に第１の誘電体を形成するステップと；
前記第１の誘電体層および前記導電層を、誘電体でキャップされた相互接続および誘電体でキャップされたボンド・パッドにパターン化するステップと；
前記誘電体でキャップされた相互接続および前記誘電体でキャップされたボンド・パッドの上に、かつそれらの間に第２の誘電体層を形成するステップと；
前記誘電体でキャップされたボンド・パッドおよび前記誘電体でキャップされた相互接続を露出するために、前記第２の誘電体層の一部を除去するステップと；
露出された前記誘電体でキャップされたボンド・パッドおよび露出された前記誘電体でキャップされた相互接続の上に、かつ前記第２の誘電体の上に、気密封止した第３の誘電体層を形成するステップと；
を含む方法。
【請求項２】  基板上にパッシベーション構造を形成する方法であって、この方法は、
前記基板上に金属層を形成するステップと；
前記導電層上にハード・マスクを形成するステップと；
ハード・マスクでキャップされたボンド・パッドからギャップによって離隔されたハード・マスクでキャップされた相互接続を形成するように、前記金属層および前記ハード・マスクをパターン化するステップと；
前記ギャップ内の前記基板の上に、かつ前記ハード・マスクでキャップされた相互接続および前記ハード・マスクでキャップされたボンド・パッドの上に、４．０又はこれより低い誘電率を有する低誘電率材料を形成するステップと；
誘電率材料が、前記ハード・マスクでキャップされた相互接続および前記ハード・マスクでキャップされたボンド・パッドとほぼ平坦になるように、前記低誘電率材料を研磨するステップと；
前記ハード・マスクでキャップされた相互接続および前記ハード・マスクでキャップされたボンド・パッドと、前記ギャップ内の前記誘電率材料との上に、気密状態の封止誘電体層を形成するステップと；
を含む方法。
【請求項３】  基板上にパッシベーション構造を形成する方法であって、この方法は、
前記基板上に金属導電層を形成するステップと；
前記導電層上に、窒化シリコンおよび窒酸化シリコンからなる群から選択されるハード・マスクを形成するステップと；
ハード・マスクでキャップされた相互接続およびハード・マスクでキャップされたボンド・パッドを形成するために、前記金属層および前記ハード・マスクをパターン化するステップと；
前記ハード・マスクでキャップされた相互接続と前記ハード・マスクでキャップされたボンド・パッドとの間にある前記基板の上に、かつ前記ハード・マスクでキャップされた相互接続および前記ハード・マスクでキャップされたボンド・パッドの上に、二酸化シリコン層を形成するステップと；
前記二酸化シリコン材料が、前記ハード・マスクでキャップされた相互接続および前記ハード・マスクでキャップされたボンド・パッドとほぼ平坦になるまで前記二酸化シリコン材料を研磨するステップと；
前記ハード・マスクでキャップされた相互接続および前記ハード・マスクでキャップされたボンド・パッドの上に、かつ前記ハード・マスクでキャップされた相互接続と前記ハード・マスクでキャップされたボンド・パッドとの間にある前記二酸化シリコン層の上に、窒化シリコン誘電体層を形成するステップと；
前記ハード・マスクでキャップされたボンド・パッド上の前記窒化シリコン誘電体層および前記ハード・マスクを介して開口を形成するステップと；
前記ボンド・パッド上に電気コンタクトを形成するステップと；
を含む方法。
【請求項４】  パッシベーション構造を形成する方法であって、この方法は、基板上に誘電体でキャップされた相互接続と誘電体でキャップされたボンド・パッドを形成するステップと；
上記基板上に且つ上記キャップされた相互接続と上記キャップされたボンド・パッドの間に第２の誘電体層を形成するステップと；
上記第２の誘電体層は上記キャップされた相互接続と上記キャップされたボンド・パッドと実質的に平面上に存在するように上記第２の誘電体層を平坦化するステップと；
上記第２の誘電体層、上記キャップされたボンド・パッドおよび上記キャップされた相互接続上に気密状態の第３の誘電体層を形成するステップと；
を含む方法。
【請求項５】  パッシベーション構造を形成する方法であって、この方法は、
誘電体でキャップされた相互接続と誘電体でキャップされたボンド・パッドを形成するステップと；
上記キャップされた相互接続とキャップされたボンド・パッドの間に第１の誘電体を形成するステップと；
上記誘電体でキャップされたボンド・パッド上と、上記誘電体でキャップされた相互接続上と、このボンド・パッドと相互接続との間の誘電体上に気密状態の第２の誘電体を形成するステップと；
を含む方法。
【請求項６】  パッシベーション構造を形成する方法であって、この方法は、
基板の上に形成された導電層上面に第１の誘電体を形成するステップと；
前記第１の誘電体層および前記導電層を、誘電体でキャップされた相互接続および誘電体でキャップされたボンド・パッドにパターン化するステップと；
前記誘電体でキャップされた相互接続と前記誘電体でキャップされたボンド・パッドとの間に第２の誘電体層を形成するステップと；
前記誘電体でキャップされたボンド・パッドと前記誘電体でキャップされた相互接続との間に上記第２の誘電体上に第３の誘電体を形成するステップと；
から構成され、この第３の誘電体は上記誘電体層の上面に存在し且つ第３の誘電体は気密状態の誘電体である方法。
【請求項７】  パッシベーション構造を形成する方法であって、この方法は、
表面を有する相互接続と基板上に表面を有するボンド・パッドとを形成するステップと；
上記ボンド・パッドと相互接続間に第１の誘電体層を形成するステップと；
上記ボンド・パッドと相互接続との間にある上記第１の誘電体上に第２の誘電体を形成するステップ；
から成り、上記相互接続とボンド・パッド間の第２の誘電体はこのボンド・パッドと相互接続の表面の上に存在し、且つ第２の誘電体は気密状態の誘電体である方法。
【手続補正書】
【提出日】平成17年11月11日(2005.11.11)
【手続補正１】
【補正対象書類名】明細書
【補正対象項目名】特許請求の範囲
【補正方法】変更
【補正の内容】
【特許請求の範囲】
【請求項１】  基板を準備する工程と；
ギャップで分離されたボンド・パッドと第１の部材とから成る金属層を上記基板に形成する工程と；
低誘電率を有し且つ上記ギャップを埋める厚さを有する第１の材料で前記ボンド・パッドおよび第１の部材を被覆する工程と；
前記ボンド・パッドと第１の部材を覆うが前記ギャップ上に存在しないように、薄く且つ水分浸透に対して耐性を有する第２の材料で前記第１の材料を被覆する工程と；
前記第２の材料の上に第３の材料の層を形成する工程と；
前記ボンド・パッドの表面を露出さえるために第３の材料層にテーパ状をした側壁をまた第２の材料層と第１の材料層に垂直な側壁とを有する開口を形成する工程と；
導電性で且つ水分浸透を防止する第４の材料で前記第３の材料、前記開口のテーパ状の側壁と垂直の側壁、および前記ボンド・パッドの表面を被覆する工程と；
前記開口の側壁と前記ボンド・パッドの表面を覆う前記第４の材料上にバンプを形成する工程と；
から成ることを特徴とするパッシベーション層の形成方法。
【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】  第１のノードと出力ノードの間の第１の切換え可能な導電性経路と、
前記出力ノードと第２のノードの間の第２の切換え可能な導電性経路と、
前記出力ノードと前記第２のノードの間の第３の切換え可能な導電性経路とを含む回路であって、
前記第１と前記第２の切換え可能な導電性経路が第１の低アクティブ・パルス信号源に結合され、前記第３の切換え可能な導電性経路が第２の低アクティブ・パルス信号源に結合され、前記第２と第３の切換え可能な導電性経路がそれぞれ前記第１の切換え可能な導電性経路のオン抵抗よりも実質的に小さいオン抵抗を持つことを特徴とする論理構造回路。
【請求項２】  入力端子および出力ノード結合された出力端子を有する第１のレシオ形ＣＭＯＳインバータと、
入力端子および前記出力ノードに結合された出力端子を有する第２のレシオ形ＣＭＯＳインバータとを含む回路であって、
前記第１のレシオ形ＣＭＯＳインバータの入力端子が第１の低アクティブ・パルス信号源の出力ノードに結合され、前記第２のレシオ形ＣＭＯＳインバータの入力端子が第２の低アクティブ・パルス信号源の出力ノードに結合されている回路。
【請求項３】  第１の電源ノードと出力ノードの間にソースからドレインに向けて結合された第１のＰＦＥＴと、
前記出力ノードと第２の電源ノードの間にドレインからソースに向けて結合された第１のＮＦＥＴと、
前記第１の電源ノードと前記出力ノードの間にソースからドレインに向けて結合された第２のＰＦＥＴと、
前記出力ノードと前記第２の電源ノードの間にドレインからソースに向けて結合された第２のＮＦＥＴと、
前記出力ノードと前記第２の電源ノードの間にドレインからソースに向けて結合された第３のＮＦＥＴとを含む回路であって、
前記第１のＰＦＥＴのゲートおよび前記第１のＮＦＥＴのゲートが共通に第１の入力信号源に結合され、前記第２のＰＦＥＴのゲートおよび前記第２のＮＦＥＴのゲートが共通に第２の入力信号源に結合され、さらに、前記第３のＮＦＥＴのゲートが第３の入力信号源に結合されていないと共に第３の入力信号源に結合したゲートを有するＰＦＥＴは出力ノードに接続されていることを特徴とし、
且つ前記第１、第２および第３の信号源がアクティブ低パルス信号であることを特徴とする論理構造回路。
【請求項４】  複数の入力端子と１つの出力端子を有するレシオ形非対称ＣＭＯＳ論理構造体と、
それぞれが出力ノードを有する複数のパルス出力ドミノ論理ステージとから構成され、
上記レシオ形非対称ＣＭＯＳ論理構造体の各入力端子は複数のパルス出力ドミノ論理ステージの１つの対応する出力ノードに結合していることを特徴とする論理構造回路。
【手続補正書】
【提出日】平成17年12月14日(2005.12.14)
【手続補正１】
【補正対象書類名】明細書
【補正対象項目名】発明の名称
【補正方法】変更
【補正の内容】
【発明の名称】ビデオ信号を処理する信号処理装置およびスクリーン・セーバー機能を実行する方法
【手続補正２】
【補正対象書類名】明細書
【補正対象項目名】特許請求の範囲
【補正方法】変更
【補正の内容】
【特許請求の範囲】
【請求項１】  ビデオ信号に対応するピークビーム電流値を決定するピーク検出器と、
ビデオ信号に対応する平均ビーム電流値を決定する平均検出器と、
第１の閾値を超過する前記ピークビーム電流値と第２の閾値以下の前記平均ビーム電流値とに応答して前記ビデオ信号の特性を調整する制御装置と、
を含む、ビデオ信号を処理する信号処理装置。
【請求項２】  前記特性は前記ビデオ信号のコントラストである、請求項１記載の信号処理装置。
【請求項３】  前記特性は前記ビデオ信号の輝度である、請求項１記載の信号処理装置。
【請求項４】  前記平均ビーム電流値の前記変化は変化モニタでモニタされる、請求項１記載の信号処理装置。
【請求項５】  前記制御装置は前記特性を低下させることによってその特性を調整する、請求項１記載の信号処理装置。
【請求項６】  処理されつゝあるビデオ信号のピーク値を決定するステップと、
前記ビデオ信号の平均値をモニタするステップと、
前記ビデオ信号の前記平均値に変化があるか否かを決定するステップと、
前記ピーク値が第１の閾値を超過し、前記平均値中で変化が検出されたときのみ前記ビデオ信号を調整するステップと、
を含む、スクリーン・セーバー機能を実行する方法。
【請求項７】  前記平均値の変化が第２の閾値以下であるときのみ前記ビデオ信号が調整される、請求項６記載の方法。
【請求項８】  前記平均値は前記ビデオ信号によって表わされるイメージの平均画像レベルに対応する、請求項６記載の方法。
【手続補正３】
【補正対象書類名】明細書
【補正対象項目名】０００５
【補正方法】変更
【補正の内容】
【０００５】
さらに、本願発明者は、たとえスクリーンが一定期間静止状態にあっても、表示されているイメージがある閾値を超えない特性を有していれば、スクリーンを消去（ｂｌａｎｋｉｎｇ：ブランキング）する必要がないということを認識した。すなわち、スクリーンのイメージがたとえ静止状態にあっても、表示されるイメージが、例えば低輝度（明るさ）および／または低コントラストであると、スクリーン焼けの可能性はほとんどない。
特許請求の範囲と実施例との対応関係を実施例で使われている参照符号を用いて示すと以下の通りである。
（請求項１）  ビデオ信号に対応するピークビーム電流値を決定するピーク検出器（２０）と、
ビデオ信号に対応する平均ビーム電流値を決定する平均検出器（３０）と、
第１の閾値を超過する前記ピークビーム電流値と第２の閾値以下の前記平均ビーム電流値とに応答して前記ビデオ信号の特性を調整する制御装置（５０）と、
を含む、ビデオ信号（ｒ、ｇ、ｂ）を処理する信号処理装置。
（請求項２）  前記特性は前記ビデオ信号のコントラストである、請求項１記載の信号処理装置。
（請求項３）  前記特性は前記ビデオ信号の輝度である、請求項１記載の信号処理装置。
（請求項４）  前記平均ビーム電流値の前記変化は変化モニタ（４０）でモニタされる、請求項１記載の信号処理装置。
（請求項５）  前記制御装置は前記特性を低下させることによってその特性を調整する、請求項１記載の信号処理装置。
（請求項６）  処理されつゝあるビデオ信号のピーク値を決定するステップと、
前記ビデオ信号の平均値をモニタするステップと、
前記ビデオ信号の前記平均値に変化があるか否かを決定するステップと、
前記ピーク値が第１の閾値を超過し、前記平均値中で変化が検出されたときのみ前記ビデオ信号を調整するステップと、
を含む、スクリーン・セーバー機能を実行する方法。
（請求項７）  前記平均値の変化が第２の閾値以下であるときのみ前記ビデオ信号が調整される、請求項６記載の方法。
（請求項８）  前記平均値は前記ビデオ信号によって表わされるイメージの平均画像レベルに対応する、請求項６記載の方法。
【手続補正書】
【提出日】平成18年8月2日(2006.8.2)
【手続補正１】
【補正対象書類名】明細書
【補正対象項目名】特許請求の範囲
【補正方法】変更
【補正の内容】
【特許請求の範囲】
【請求項１】  インタレース表示フォーマットをサポートするディスプレイ・ユニット上にネットワーク・アプリケーション・データを表示するテレビジョン・システムであって、
前記ネットワーク・アプリケーション・データの非インタレース画像を表す複数のオリジナル・ピクセル・データ要素を入力するインタフェースにして、前記非インタレース画像が複数の線を含むインタフェースと、
前記複数のオリジナル・ピクセル・データ要素を入力するために前記インタフェースに結合されるフィルターであって、前記フィルターは前記複数の線の少なくとも一つ及び先に生成されたフィルタ済みの線を使用してフィルタ動作を実行し、フィルタ済みの線を生成するフィルタにして、複数のフィルタ済みの線が、前記非インタレース画像の平滑化された画像を表す前記フィルタ済みの線を含み、後続のフィルタ済みの線を生成するために先に生成したフィルタ済みの線として使用される、フィルタと、
前記フィルタが生成した前記複数のフィルタ済みの線が保存されるように前記フィルタに結合され、前記後続のフィルタ済みの線を生成するために前記保存されたフィルタ済みの線を前記先に生成されたフィルタ済みの線として利用可能にする、バッファと、
前記バッファが供給する複数のフィルタ済みの線に含まれる交互の線を入力し、前記入力した交互の線にしたがって、前記ディスプレイ・ユニットのためにディスプレイ信号を生成するディスプレイ・インタフェースにして、前記交互の線が前記ネットワーク・アプリケーション・データのインタレース画像を形成する、ディスプレイ・インタフェースと、
を備え、
これにより、フリッカを最小限に抑えて、前記ネットワーク・アプリケーション・データを前記ディスプレイ・ユニット上に表示する、
ことを特徴とする、テレビジョン・システム。
【請求項２】  前記フィルタが無限インパルス応答フィルタを備える、
ことを特徴とする、請求項１記載のテレビジョン・システム。
【請求項３】  前記バッファがピクセル・データ要素の線２本を保存するのに十分なメモリを含む、
ことを特徴とする、請求項１記載のテレビジョン・システム。
【請求項４】  前記バッファが近隣の線１本のオリジナル・ピクセル・データとフィルタ済み線１本のフィルタ済みピクセル・データとを保存する、
ことを特徴とする、請求項３記載のテレビジョン・システム。
【請求項５】  前記インタフェースがメモリ・モジュールからのオリジナル・ピクセル・データ要素を入力するように構成される、
ことを特徴とする、請求項１記載のテレビジョン・システム。
【請求項６】  前記バッファが近隣の線１本のオリジナル・ピクセル・データとフィルタ済み線１本のフィルタ済みピクセル・データとを保存し、前記フィルタが前記近隣の線１本と前記フィルタ済み線１本とを使用して新しいフィルタ済みの線を生成する、
ことを特徴とする、請求項１記載のテレビジョン・システム。
【請求項７】  ネットワーク・アプリケーション・データを表示するディスプレイ・ユニットを含み、該ディスプレイ・ユニットがインタレース・フォーマットで画像を表示するように構成される、テレビジョン・システムであって、
前記ネットワーク・アプリケーション・データの非インタレース画像を表す複数のオリジナル・ピクセル・データ要素を入力する手段にして、前記非インタレース画像が複数の線を含む、入力手段と、
複数のフィルタ済みピクセル・データ要素が生成されるように、前記オリジナル・ピクセル・データ要素を処理することで前記非インタレース画像をフィルタする手段にして、前記フィルタリングのステップでは、前記複数の線の少なくとも１本と先に生成されたフィルタ済みの線を使用して、フィルタ済みの線が生成され、複数のフィルタ済みの線が前記非インタレース画像の平滑化された画像を表す、フィルタ手段と、
前記フィルタ済みの線のそれぞれを保存する手段と、
先に生成されたフィルタ済みの線として保存する前記保存手段で保存される前記フィルタ済みの線のそれぞれを、前記複数のフィルタ済みの線が生成されるようにフィルタする前記フィルタ手段に供給する手段と、
前記複数のフィルタ済み線の交互の線を前記バッファから取り込む手段にして、前記交互の線が前記ネットワーク・アプリケーション・データのインタレース画像を形成する、取り込み手段と、
前記取り込み手段によって取り込んだ前記交互の線にしたがって、前記ディスプレイ・ユニット用のディスプレイ信号を生成する手段にして、これにより、フリッカを最小限に抑えて、前記ネットワーク・アプリケーション・データを前記ディスプレイ・ユニット上に表示する、生成手段と、
を備える、
ことを特徴とする、テレビジョン・システム。
【請求項８】  ネットワーク・アプリケーション・データをテレビジョン・システムのディスプレイ・ユニット上に表示する方法にして、前記ディスプレイ・ユニットがインタレース・フォーマットで画像を表示するように構成される、方法であって、
（ａ）前記ネットワーク・アプリケーション・データの非インタレース画像を表す複数のオリジナル・ピクセル・データ要素を入力するステップにして、前記非インタレース画像が複数の線を含む、入力ステップと、
（ｂ）複数のフィルタ済みピクセル・データ要素が生成されるように、前記オリジナル・ピクセル・データ要素を処理することで前記非インタレース画像をフィルタするステップにして、前記フィルタリングのステップが、前記複数の線の少なくとも１本と先に生成したフィルタ済みの線とを使用してフィルタ済みの線を生成し、複数のフィルタ済みの線が前記非インタレース画像の平滑化された画像を表す、フィルタステップと、
（ｃ）ステップ（ｂ）で生成された前記フィルタ済みの各線をバッファに保存するステップと、
（ｄ）前記複数のフィルタ済みの線が生成されるように、先に生成されたフィルタ済みの線としてステップ（ｃ）で保存された前記フィルタ済みの各線をステップ（ｂ）に供給するステップと、
（ｅ）前記複数のフィルタ済み線の交互の線を前記バッファから取り込むステップにして、前記交互の線が前記ネットワーク・アプリケーション・データのインタレース画像を形成する、取り込みステップと、
（ｆ）ステップ（ｅ）で取り込んだ前記交互の線にしたがって、前記ディスプレイ・ユニット用のディスプレイ信号を生成するステップにして、これにより、フリッカを最小限に抑えて、前記ネットワーク・アプリケーション・データを前記ディスプレイ・ユニット上に表示する、生成ステップと、
を備える、
ことを特徴とする方法。
【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】  複数の変換された表示フォーマットの少なくとも一つに関連するビデオ画像を含むデジタルビデオ信号を処理して、ディスプレイ装置での提示に適した出力ビデオ信号を生成する装置であって、
前記ディスプレイ装置は、単一の所定の水平走査周波数に関連しており、
第一の制御信号に反応して前記デジタルビデオ信号の水平フォーマットを適応させる水平リサイザ（１５０）と、
第二の制御信号に反応して前記デジタルビデオ信号の垂直フォーマットを適応させる垂直リサイザ（１４０）と、
第三の制御信号に反応して前記デジタルビデオ信号のフレーム・レートを整数の倍数によって適応させるフレーム・レート変換器（１６０）と、
前記デジタルビデオ信号の内部に含まれるビデオ画像の変換された表示フォーマットに反応して前記第一、第二、及び第三の制御信号を発信するコントローラと、を備え、
前記コントローラが、前記水平リサイザに、前記デジタルビデオ信号の水平フォーマットを、前記ディスプレイ装置の前記所定の水平走査周波数と互換性があるサイズに適応させ、
前記コントローラが、前記垂直リサイザに、前記デジタルビデオ信号の垂直フォーマットを、前記デジタルビデオ信号の前記適応された水平フォーマットと互換性があるサイズに適応させる装置。
【請求項２】  インタレース・デジタルビデオ信号をプログレッシブ走査デジタルビデオ信号に変換するデインタレーサ（１３０）を更に備え、
前記デインタレーサは、前記水平リサイザ、前記垂直リサイザ、及び前記フレーム・レート変換器より前に、前記デジタルビデオ信号を処理する請求項１の装置。
【請求項３】  前記フレーム・レート変換器（１６０）は、第一のアドレッシング・レートに従って前記デジタルビデオ信号を受信するとともに、第二のアドレッシング・レートに従ってバッファ済みデジタルビデオ信号を提供するフレーム・バッファ（１６２）を備え、
前記第二のアドレッシング・レートは、前記第一のアドレッシング・レートの前記整数の倍数である請求項２の装置。
【請求項４】  前記第二のアドレッシング・レートは、表示クロックについて決定され、
前記表示クロックは、前記ディスプレイ装置で使用するのに適した水平及び垂直偏向信号を導き出すのに使用するのに適したタイミング信号を提供する請求項３の装置。
【請求項５】  前記ディスプレイ装置で使用するのに適した水平及び垂直偏向信号を発生するための、前記表示クロックと結合する、ラスタ発生器を更に備える請求項４の装置。
【請求項６】  前記ディスプレイ装置は、所定の固定ライン走査レートであって対応するノミナル・フレーム・レートであるｈラインでｐピクセルの表示フォーマットを有し、
コントローラ（２００）が、デジタルビデオ信号のフレーム・レートの整数の倍数がディスプレイ装置の前記ノミナル・フレーム・レート以上となるように、デジタルビデオ信号のフレーム・レートに整数値を乗じ、
コントローラ（２００）が、垂直リサイザ（１４０）に、デジタルビデオ信号のフレームあたりのラインの数を、前記固定ライン走査レートと互換性があるように変更させる請求項１の装置。
【請求項７】  ディスプレイ装置のラインあたりのピクセルの数ｐは、デジタルビデオ信号のラインあたりのピクセルの数とは異なっており、
コントローラ（２００）が、水平リサイザに、デジタルビデオ信号のラインあたりのピクセルの数を、ディスプレイ装置のラインあたりのピクセルの数と互換性があるように変更させる請求項６の装置。
【請求項８】  ディスプレイ装置は、非インタレース・フォーマットを有し、
インタレース・フォーマットを有するデインタレース・デジタルビデオ信号のためのデインタレーサ（１３０）を更に備える請求項６又は７の装置。
【請求項９】  ディスプレイ装置に表示された際のデジタル信号のフォーマットに対する、デジタルビデオ信号のフォーマットの関係が、下記の表２、３、４、又は５のいずれかにおいて設定される請求項６、７、又は８のいずれかの装置。
【表２】
2002500480.tif 000001
【表３】
2002500480.tif 000002
【表４】
2002500480.tif 000003
【表５】
2002500480.tif 000004
【請求項１０】  前記整数は、１、２、又は３のいずれかである請求項１、６、７、又は８のいずれかの装置。
【請求項１１】 前記ディスプレイ装置は、光弁、ＤＭＤ、又はＬＣＤディスプレイ装置のいずれか一つを備える請求項１の装置。
【請求項１２】 複数の変換された表示フォーマットの少なくとも一つに関連するビデオ画像を含むデジタルビデオ信号を処理して、ディスプレイ装置での提示に適した出力ビデオ信号を生成する方法であって、
前記ディスプレイ装置は、単一の所定の水平走査周波数に関連しており、
前記デジタルビデオ信号のフレーム・レートに整数の倍数を乗じるステップを含み、
前記ディスプレイ装置の水平フォーマットと互換性があるように、前記デジタルビデオ信号の水平フォーマットを適応させるステップを選択的に備え、
前記デジタルビデオ信号のフレーム・レートの前記倍数において、前記デジタルビデオ信号の垂直フォーマットが前記ディスプレイ装置の前記所定の水平走査周波数と互換性があるように、前記デジタルビデオ信号の垂直フォーマットを適応させるステップを選択的に備える方法。
【請求項１３】 前記デジタルビデオ信号がインタレース・デジタルビデオ信号を備える場合、前記デジタルビデオ信号をデインタレースするステップを更に備える請求項１２の方法。
【手続補正書】
【提出日】平成17年12月22日(2005.12.22)
【手続補正１】
【補正対象書類名】明細書
【補正対象項目名】請求項４０
【補正方法】変更
【補正の内容】
【請求項４０】  燃料電池装置において、
燃料流れを燃料電池アノードに導くための燃料供給装置と、
前記アノードへの前記燃料流れの供給を、周期的かつ瞬間的に中断するための流量調節器であって、前記アノードの上流に配置された燃料供給弁と、前記アノードの下流に配置された燃料排出流弁とを有する該流量調節器と、
前記中断の頻度及び持続時間を制御するために前記流量調節器に関連付けられたアクチュエータであって、前記アノードへの前記燃料流れの供給を中断するために、前記燃料供給弁を周期的に開閉するように接続されていて、前記燃料排出流弁が、前記燃料供給弁と協同して開閉するように前記アクチュエータによって活動状態にされる該アクチュエータと、
を備えた、上記装置。
【手続補正書】
【提出日】平成17年11月21日(2005.11.21)
【手続補正１】
【補正対象書類名】明細書
【補正対象項目名】特許請求の範囲
【補正方法】変更
【補正の内容】
【特許請求の範囲】
【請求項１】  少なくとも一つのランプ（１１０）の明るさを減少させる装置（５００）において；この装置は、
直流電力を供給する、接地された電源（＋Ｖ）と、
電源（＋Ｖ）に接続され、ランプ（１１０）を駆動するインバータとから構成され；
上記インバータは、
直流電源（＋Ｖ）から交流電力を生成する第１スイッチング手段（Ｓ２,Ｓ３）、
第１スイッチング手段（Ｓ２,Ｓ３）に接続され、ランプ（１１０）にアーク電圧を与え、維持させる電力変換手段（１４０）、
電力変換手段（１４０）に接続され、ランプ（１１０）への交流電力をゼロボルトとアークボルトとの間で変化させる変調手段（１２０）と、
電力変換手段（１４０）に接続され、電源（＋Ｖ）から供給されるエネルギーを蓄積するリアクタンスを持つ複数の要素（Ｌ１,Ｌ２,Ｃ１,１４０）、
を具備し、
前記装置（５００）は、ランプ（１１０）がスイッチオフの時に、複数のリアクタンス要素（Ｌ１,Ｌ２,Ｃ１,１４０）に蓄積されているエネルギが放出するように、第１のスイッチング手段（Ｓ２,Ｓ３）と第２スイッチング手段（Ｓ４）がインバータ構成となっていることを特徴とする装置。
【請求項２】  複数の要素が、ランプ（１１０）と電力変換手段（１４０）とに接続され、ランプ（１１０）への交流電力を制御する第１リアクタンス要素（Ｌ２）を含む請求項１記載の装置。
【請求項３】  複数の要素が、ランプ（１１０）と電力変換手段（１４０）とに接続され、電源（＋Ｖ）によって供給される直流電力を制御する第２リアクタンス要素を含む請求項１記載の装置。
【請求項４】  電源（＋Ｖ）とインバータとに接続され、直流電力をインバータに供給したり、供給を止めたりする第３スイッチング手段（Ｓ１）をさらに有する請求項１記載の装置。
【請求項５】  変調手段（１２０）がランプ（１１０）への交流電力をゼロとするのに十分な時間ランプ（１１０）への交流電力を減少させる請求項１記載の装置。
【請求項６】  変調手段（１２０）が、第３スイッチング手段（Ｓ１）に接続され、周期的に直流電力を変調する用に所定の周波数で周期的にパルスを生成するパルス幅モジュレータであって、パルスが電源（＋Ｖ）によって供給される請求項３記載の装置。
【請求項７】  ランプ（１１０）がパルスの幅における減少に応じて減光され、かつパルスの幅における増加に応じて明るくなる請求項６記載の装置。
【請求項８】  変調手段（１２０）が第２スイッチング手段（Ｓ４）と第３スイッチング手段（Ｓ１）を変調する請求項４記載の装置。
【請求項９】  変調手段（１２０）が第２スイッチング手段（Ｓ４）と第３スイッチング手段（Ｓ１）を二つの異なった状態の間で交互に変調させる請求項８記載の装置。
【請求項１０】  電力変換手段（１４０）が、センタータップを備えた一次巻線を有し、電源（＋Ｖ）からそのセンタータップへ直流電流が供給されるトランスである請求項１記載の装置。
【請求項１１】  第２スイッチング手段（Ｓ４）がトランスの一次巻線間に交流電力を生成させる請求項１０記載の装置。
【請求項１２】  インバータが明るさの減光率を１０，０００：１とする請求項１記載の装置。
【請求項１３】  第２スイッチング手段はリアクタンス要素（Ｌ１,Ｌ２,Ｃ１,１４０）に接続する接地スイッチ（Ｓ４）を有する請求項１記載の装置。
【請求項１４】  リアクタンス要素（Ｌ１,Ｌ２,Ｃ１,１４０）を同時に接地する第１スイッチ手段（Ｓ２,Ｓ３）を有する請求項１記載の装置。
【請求項１５】  少なくとも一つのランプ（１１０）の明るさを減光させる方法において、
直流電力を供給する、接地されている電源（＋Ｖ）を用い、
電源（＋Ｖ）から供給されるエネルギーを蓄積するリアクタンスを持つ複数の要素（Ｌ１,Ｌ２,Ｃ１,１４０）を含むインバータがランプ（１１０）を駆動し、そのインバータが、
直流電力を交流電力に変換し、
ランプ（１１０）間にアーク電圧を維持させ、
交流電力を制御し、ランプ（１１０）間の交流電力をゼロとアーク電圧との間で変化させるように交流電力を変調し、
オフ状態に切り換えられたときにリアクタンスを持つ複数の要素（Ｌ１,Ｌ２,Ｃ１,１４０）に蓄積されたエネルギーを放電するようにインバータの中に配置されたスイッチング手段（Ｓ２,Ｓ３）と第２スイッチング手段（Ｓ４）を用いてランプ（１１０）をオン状態とオフ状態に切り換えることを特徴とする方法。
【請求項１６】  交流電力を変調するとき、ランプ（１１０）間の電圧をゼロに等しくさせるのに十分な時間ランプ（１１０）への交流電力を減少させる請求項１５記載の方法。
【請求項１７】  切換えるステップはリアクタンス要素（Ｌ１,Ｌ２,Ｃ１,１４０）を接地するステップである請求項１５記載の方法。
【請求項１８】  切換えるステップはリアクタンス要素（Ｌ１,Ｌ２,Ｃ１,１４０）に接続したスイッチ群（Ｓ２，１１，１２，Ｓ３）を同時に接地するステップである請求項１５記載の方法。
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  変換器回路装置であって、
（ａ）電源回路網（７）に接続された第１の変換器（１）と、
（ｂ）負荷（６）に接続された第２の変換器（２）と、
（ｃ）正の経路（４）と負の経路（５）を有するＤＣ中間回路（３）と、
を有し、前記中間回路（３）を介して、前記第１の変換器（１）が前記第２の変換器（２）に接続され、更に、
（ｄ）互いに磁気的に結合された少なくとも２つの巻線（９と１０）を有するトランス（８）とを有し、
−一つの巻線が、前記電源回路網（７）と第１の変換器（１）間のそれぞれの導体中に接続されるか、
−一つの巻線が、前記中間回路（３）の前記正の経路（４）中に、および負の経路（５）中にそれぞれ接続されるか、または
−一つの巻線が、前記第２の変換器（２）と前記負荷（６）間のそれぞれの導体中に接続され、且つ、
（ｅ）接地されたＬＣフィルタ（Ｌｆ、Ｃｆ）が前記負荷（６）と前記第２の変換器（２）間に接続され、前記フィルタのインダクタンス（Ｌｆ）は、前記第２の変換器（２）と前記負荷（６）間の導体中に接続され、且つ、前記フィルタのキャパシタンス（ＣＦ）は、これらの導体と共通の接地間に接続されていることを特徴とする装置。
【請求項２】  前記トランス（８）の巻線は平行に向けられ、前記負荷の方向に一方の巻線に流れる電流が、前記負荷の方向に他方の巻線に流れる電流と同じトランスの磁化方向を生成することを特徴とする請求項１に記載の装置。
【請求項３】  前記トランス（８）は、前記２つの巻線（９と１０）に磁気的に結合され、減衰抵抗（Ｒｄ）によって終端される第３の巻線（１１）を有することを特徴とする請求項１又は２に記載の装置。
【請求項４】  前記第２の変換器（２）は、スリーポイントインバータ形状を有し、中性点（Ｎｐ）は前記正の経路と負の経路間で直列に接続される２つの中間回路のキャパシタ（Ｃｚｋ）によって形成されていることを特徴とする請求項１又は２に記載の装置。
【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】
二酸化マンガンを含む正極と、
亜鉛粒子を含む負極と、
電解液と、
前記正極と負極との間に配置されたセパレータと
を備え、前記電解液に対する前記二酸化マンガンの重量比が約２．２〜２．９であり、前記電解液に対する前記亜鉛粒子の重量比が約０．９〜１．２５であるアルカリ電池。
【請求項２】
炭素粒子が約２０ミクロンより小さい平均粒径を有する非合成で非発泡グラファイト粒子である、請求項１記載のアルカリ電池。
【請求項３】
単３電池、単４電池、単６電池、単２電池および単１電池からなる群から選択された、請求項１記載のアルカリ電池。
【請求項４】
前記セパレータは不織の非膜材料と、第１の材料の表面に沿って配置された第２の不織の非膜材料とを含む、請求項１記載のアルカリ電池。
【請求項５】
前記正極は約２１％〜約２８％の多孔度を有する、請求項１記載のアルカリ電池。
【請求項６】
前記負極は１立方センチメートル当たり約２グラムの亜鉛粒子から１立方センチメートル当たり約２．４５グラムの亜鉛粒子を有する、請求項１記載のアルカリ電池。
【請求項７】
前記電解液に対する前記二酸化マンガンの重量比が約２．５〜２．９であり、前記電解液に対する前記亜鉛粒子の重量比が約１．１〜１．２５である、請求項１乃至６の１つに記載のアルカリ電池。
【請求項８】
前記電解液に対する前記二酸化マンガンの重量比が約２．５〜２．６５であり、前記電解液に対する前記亜鉛粒子の重量比が約０．９〜１．２である、請求項１乃至６の１つに記載のアルカリ電池。
【請求項９】
正極と、
負極と、
セパレータと
を備え、１ワット連続テストに従って１ボルトまで放電するのに少なくとも約０．６時間かかるアルカリ単３電池。
【請求項１０】
正極と、
負極と、
セパレータと
を備え、４分の１ワットｒｍテストに従って１．１ボルトまで放電するのに少なくとも約２時間かかるアルカリ単４電池。
【手続補正２】
【補正対象書類名】明細書
【補正対象項目名】０００３
【補正方法】変更
【補正の内容】
【０００３】
本発明は二酸化マンガンおよび亜鉛粒子の少なくとも一方に対し多量の電解液を有するアルカリ電池のような電池に関する。これら電池は良好な性能上の特性を有する。例えば１時間で放電される少なくとも電池容量に等しい放電レート（アンペア時を単位とする）のような高い放電レートで大エネルギーを出力することができる。これら電池は種々の工業規格のサイズ、例えば単３（ＡＡ）、単４（ＡＡＡ）、単６（ＡＡＡＡ）、Ｃ（単２）またはＤ（単１）を有し得る。
【手続補正書】
【提出日】平成17年12月13日(2005.12.13)
【手続補正１】
【補正対象書類名】明細書
【補正対象項目名】特許請求の範囲
【補正方法】変更
【補正の内容】
【特許請求の範囲】
【請求項１】
カソードと、亜鉛粒子を含むアノードと、そして、前記カソードおよびアノード間に配置されたセパレータと、を備える電池において、
前記カソードが２１％から２８％の空隙率を有すると共に、前記アノードがその容積の１立方センチメートル当たり２グラムから２．４５グラムの亜鉛粒子の空隙率を含むことを特徴とする電気化学セル。
【請求項２】
前記カソードが２５％から２７％の空隙率を有することを特徴とする請求項１に記載の電気化学セル。
【請求項３】
前記アノードがその容積の１立方センチメートル当たり２．１グラムから２．３５グラムの亜鉛粒子の空隙率を有することを特徴とする請求項２に記載の電気化学セル。
【請求項４】
前記カソードが２６％の空隙率を有することを特徴とする請求項３に記載の電気化学セル。
【請求項５】
前記アノードがその容積の１立方センチメートル当たり２．１５グラムから２．３グラムの亜鉛粒子の空隙率を有することを特徴とする請求項１に記載の電気化学セル。
【請求項６】
前記カソードが２３％から２５％の空隙率を有することを特徴とする請求項５に記載の電気化学セル。
【請求項７】
前記炭素粒子がおよそ２０ミクロン未満の平均粒子サイズを有する非合成非膨張性グラファイト粒子であることを特徴とする請求項１ないし６に記載の電気化学セル。
【請求項８】  
前記電気化学セルはアルカリ電池であることを特徴とする請求項１ないし６に記載の電気化学セル。
【請求項９】
前記電気化学セルはＡＡ電池、ＡＡＡ電池、ＡＡＡＡ電池、Ｃ電池およびＤ電池を備えるグループから選択されることを特徴とする請求項１ないし６に記載の電気化学セル。
【請求項１０】
前記セパレータは、第１の不織非膜材料と、第１の不織非膜材料の表面に沿って配置された第２の不織非膜材料を備えることを特徴とする請求項１ないし６に記載の電気化学セル。                             
【請求項１１】
電解液をさらに備え、前記カソードは酸化マンガンを含むと共に、前記電解液に対する酸化マンガンの重量配分比は２．２から２．９であることを特徴とする請求項１ないし６に記載の電気化学セル。
【請求項１２】
電解液をさらに備え、前記電解液に対する亜鉛粒子の重量配分比は０．９から１．２５であることを特徴とする請求項１ないし６に記載の電気化学セル。
【手続補正書】
【提出日】平成17年11月1日(2005.11.1)
【手続補正１】
【補正対象書類名】明細書
【補正対象項目名】特許請求の範囲
【補正方法】変更
【補正の内容】
【特許請求の範囲】
【請求項１】  ネットワーク上でクライアントにアクセスするために接続されたネットワークサーバであって、該クライアントは１つのセッション要求および１つのセッション応答としてセッションを定めたセッションプロトコルにしたがってネットワークサーバへアクセスし、該ネットワークサーバが、
ページ情報を記憶するメモリと、
要求を出しているクライアントからページ要求を受取り、要求に応答してある記憶されたページ情報を使用してページを生成し、要求を出しているクライアントにネットワーク上で生成されたページを送信するページコンパイラとを含み、
ここにページコンパイラは生成されたページにページスクリプト機能を取付け、生成されたページとともにページスクリプト機能を送信し、スクリプト機能は、予め定められた間隔または複数の間隔で、要求を出しているクライアントからサーバへ送られる多数の追加のメッセージを生成するために実行可能な命令を含むネットワークサーバ。
【請求項２】  要求を出しているクライアントに生成されたページおよびページスクリプト機能を送信した後に、アクセスを要求する他のクライアントのために、サーバが記憶されたページ情報の少なくとも幾つかへのアクセスを変更し、変更されたアクセスは、要求を出しているクライアントがもはやページスクリプト機能を実行していないことを示す追加のメッセージの不在まで継続する、請求項1記載のネットワークサーバ。
【請求項３】  要求を出しているクライアントが生成されたページを使用しているときのみ、スクリプト機能が追加のメッセージを生成する請求項1または２記載のネットワークサーバ。
【請求項４】  要求を出しているクライアントが継続的に生成されたページを使用しているときのみ、スクリプト機能が追加のメッセージを生成する請求項３記載のネットワークサーバ。
【請求項５】  ページコンパイラが、サーバから要求を出しているクライアントへ送られる応答メッセージを生成するスクリプトプロセスをさらに含み、追加のメッセージはサーバがスクリプトプロセスを実行するための要求を含み、それにより、サーバが追加のメッセージを受取るたびごとに応答メッセージを生成して送る請求項１ないし４の何れか１項記載のネットワークサーバ。
【請求項６】  応答メッセージが空のメッセージである請求項４記載のネットワークサーバ。
【請求項７】  全ての受取ったページ要求を記録するアクセスログをさらに含む請求項１ないし６の何れか１項記載のネットワークサーバ。
【請求項８】  アクセスログが、全ての前記ページ要求および追加のメッセージが受取られたときの記録を維持し、ネットワークサーバが、アクセスログを解析して、記録に基いて要求を出しているクライアントが要求されたページを使用し続けるか否かを判断するプロセッサをさらに含む請求項７記載のネットワークサーバ。
【請求項９】  メモリがデータベースを含み、ページ情報が要求を出しているクライアントによってデータベース内で検索および変更できるデータポイントを含む、請求項１ないし８の何れか１項記載のネットワークサーバ。
【請求項１０】  データベースが前記データポイントの日付および時刻フィールドを含み、前記日付および時刻フィールドの各々が、対応するデータポイントに最後にアクセスした要求を出しているクライアントはだれかと、前記最後のアクセスが行われたのはいつかとを識別する情報を含む請求項９記載のネットワークサーバ。
【請求項１１】  データベースが前記データポイントに対する日付および時刻フィールドを含み、日付および時刻フィールドの各々が、対応するデータポイントに最近アクセスした要求を出しているクライアントと、前記要求を出しているクライアントによって前記最後のアクセスが行われたのはいつかとを識別する情報を含む請求項９記載のネットワークサーバ。
【請求項１２】  実行可能な命令が、連続した追加のメッセージ間の一定の予め定められた間隔で、要求を出しているクライアントからサーバに送られる多数の追加のメッセージを生成するように配置される、請求項１ないし１１の何れか１項記載のネットワークサーバ。
【請求項１３】  間隔が不規則である請求項１ないし１２の何れか１項記載のネットワーク。
【請求項１４】  各セッションを１つのセッション要求と1つのセッション応答として定めたセッションプロトコルを使用する、クライアントおよびサーバのネットワーク上で送るページを生成する方法であって、
要求を出しているクライアントからページ要求を受取ることと、
ページ情報を検索して、要求されたページを組立てることと、
ページ情報を要求されたページへコンパイルすることと、
ネットワーク上で要求を出しているクライアントにページスクリプト機能とともにページを送信することとを含み、該ページスクリプト機能は、予め定められた間隔または複数の間隔で、要求を出しているクライアントから送られる多数の追加のメッセージを生成するために実行可能な命令を含む方法。
【請求項１５】  検索するステップが、ページ情報の少なくとも幾つかのためのデータベースをアクセスするステップを含む請求項１４記載の方法。
【請求項１６】  ページスクリプト機能が、予め定められた間隔または複数の間隔で、追加のメッセージをこれ以上は送らなくなるまで、要求されているページから他の要求を出しているクライアントをロックするステップをさらに含む請求項１５記載の方法。
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】
伝導性重合体の溶液または分散液並びに場合により結合剤、濃稠化剤および充填剤を含んでなる、１〜２００ｄＰａｓの粘度を有するスクリーン印刷ペースト。
【請求項２】
＜２重量％の３,４−ポリエチレンジオキシチオフェン／ポリスチレンスルホネートの含有量を有する溶液または分散液を蒸発させて溶媒の除去により＞２重量％の固体含有量とし、そして場合により次いで結合剤および／または濃稠化剤および／または充填剤を加える、請求項１に記載のスクリーン印刷ペーストの製造方法。
【請求項３】
伝導性コーテイングの製造のための請求項１に記載のスクリーン印刷ペーストの使用。
【請求項４】
有機または無機のエレクトロルミネッセンスディスプレー(electroluminescent displays)および液晶ディスプレー用の透明な、場合により着色された電極の製造のための請求項１に記載のスクリーン印刷ペーストの使用。
【手続補正書】
【提出日】平成17年10月20日(2005.10.20)
【手続補正１】
【補正対象書類名】明細書
【補正対象項目名】特許請求の範囲
【補正方法】変更
【補正の内容】
【特許請求の範囲】
【請求項１】  画像シーケンスに対しモーション推定を行う方法であって、
（ａ）各画像に対し複数のレベルを有するＭ値ピラミッドを生成するＭ値ピラミッド生成ステップであって、前記各画像は複数のブロックに分割される、当該ステップと、
（ｂ）複数のタイリング・ブロック・サイズに基づき、複数のモーション・ベクトルを生成するモーション・ベクトル生成ステップと、
（ｃ）前記複数のブロックの各々に対する少なくとも１つの前記モーション・ベクトルを前記Ｍ値ピラミッドのより低位のレベルに渡す渡しのステップと、
を備えることを特徴とする方法。
【請求項２】  前記Ｍ値ピラミッド生成ステップ（ａ）が前記各画像に対し二値ピラミッドを生成することを特徴とする、請求項１に記載の方法。
【請求項３】  前記Ｍ値ピラミッド生成ステップ（ａ）が、
（ａ１）画像に対し平均ピラミッドを生成するステップと、
（ａ２）前記平均ピラミッドから前記Ｍ値ピラミッドを生成するステップと、
を備えることを特徴とする、請求項１に記載の方法。
【請求項４】  前記Ｍ値ピラミッド生成ステップ（ａ２）が、前記平均ピラミッドの子の画素と親の画素間の複数の差分を量子化するステップを備えることを特徴とする、請求項３に記載の方法。
【請求項５】  前記Ｍ値ピラミッドが二値ピラミッドであり、前記二値ピラミッドが以下の式：
【数１】
2002500401.tif 000001
ここでｌは前記Ｍ値ピラミッドのレベルであり、Ｂl（ｉ，ｊ）は位置（ｉ，ｊ）における値である
に従い形成されることを特徴とする、請求項４に記載の方法。
【請求項６】  前記モーション・ベクトル生成ステップ（ｂ）が、前記Ｍ値ピラミッドの最高レベルから前記Ｍ値ピラミッドのより低位のレベルへ階層的に行われることを特徴とする、請求項１に記載の方法。
【請求項７】  前記複数のブロックの各々に対し３つのモーション・ベクトルを産み出すために、前記モーション・ベクトル生成ステップ（ｂ）が、前記複数のブロックの各々についての３つのタイリング・ブロック・サイズに対し行われることを特徴とする、請求項６に記載の方法。
【請求項８】  前記渡しのステップ（ｃ）が、
（ｃ１）前記Ｍ値ピラミッドの最低レベルの上位の全てのレベルに対し、前記Ｍ値ピラミッドのより高位のレベルから、前記複数のブロックの各々に対し前記３つのモーション・ベクトルを渡すステップと、
（ｃ２）最低レベルの直上のレベルから前記Ｍ値ピラミッドの最低レベルへ、前記複数のブロックの各々についての前記３つのモーション・ベクトルの１つのみを渡すステップと、
を備えることを特徴とする、請求項７に記載の方法。
【請求項９】  画像シーケンスに対しモーション推定を行う装置であって、
各画像に対し複数のレベルを有するＭ値ピラミッドを生成するＭ値ピラミッド生成器であって、前記各画像は複数のブロックに分割される、当該Ｍ値ピラミッド生成器と、
複数のタイリング・ブロック・サイズに従いモーション・ベクトルが生成され、前記複数のブロックの各々に対する前記モーション・ベクトルの少なくとも１つが前記Ｍ値ピラミッドのより低位のレベルに渡される、前記Ｍ値ピラミッド上で階層的モーション推定を行うモーション推定モジュールと、
を備えることを特徴とする装置。
【請求項１０】  少なくとも１つの入力フレームを有する画像シーケンスを符号化する装置であって、
現行の入力フレームの予測画像を生成するモーション補正器であって、該モーション補正器が、
前記入力フレームに対し複数のレベルを有するＭ値ピラミッドを生成するＭ値ピラミッド生成器であって、該入力フレームは複数のブロックに分割される、当該Ｍ値ピラミッド生成器と、
前記Ｍ値ピラミッド上で階層的モーション推定を行うモーション推定モジュールであって、複数のタイリング・ブロック・サイズに従いモーション・ベクトルが生成され、前記複数のブロックの各々に対する前記モーション・ベクトルの少なくとも１つが前記Ｍ値ピラミッドのより低位のレベルに渡される、当該モーション推定モジュールと、
を含む、当該モーション補正器と、
入力フレームと前記予測画像間の差分信号に対し変換を加える変換モジュールであって、前記変換が複数の係数を産み出す、当該変換モジュールと、
複数の量子化係数を産み出すために、少なくとも１つの量子化スケールにより前記複数の係数を量子化する量子化器と、
前記量子化係数をビットストリームに符号化する符号器と、
を備えることを特徴とする装置。
【手続補正書】
【提出日】平成18年6月16日(2006.6.16)
【手続補正１】
【補正対象書類名】明細書
【補正対象項目名】特許請求の範囲
【補正方法】変更
【補正の内容】
【特許請求の範囲】
【請求項１】  （ａ）ホモ重合すると１０℃未満のＴｇを有する、少なくとも１種の共重合されたモノエチレン性不飽和（メタ）アクリル酸エステルモノマーと、
（ｂ）少なくとも１種の共重合された親水性酸性モノマーと、
（ｃ）少なくとも２種の共重合されたアルキレンオキシドを含み、そのアルキレンオキシドのうち少なくとも１種が親水性であり、かつ少なくとも１種が疎水性である、少なくとも１種の非反応性ポリ（アルキレンオキシド）コポリマーとを含んでなる湿潤粘着性感圧接着剤。
【請求項２】  支持体と湿潤粘着性感圧接着剤を備える物品であって、前記湿潤粘着性感圧接着剤は、
（ａ）ホモ重合すると１０℃未満のＴｇを有する、少なくとも１種の共重合されたモノエチレン性不飽和（メタ）アクリル酸エステルモノマーと、
（ｂ）少なくとも１種の共重合された親水性酸性モノマーと、
（ｃ）少なくとも２種の共重合されたアルキレンオキシドを含み、そのアルキレンオキシドのうち少なくとも１種が親水性であり、かつ少なくとも１種が疎水性である、少なくとも１種の非反応性ポリ（アルキレンオキシド）コポリマーとを含んでなる、物品。
【請求項３】  湿潤粘着性感圧接着剤を作製する方法であって、重合を引き起こすのに有効な条件下で、
（ａ）ホモ重合すると１０℃未満のＴｇを有する、少なくとも１種のモノエチレン性不飽和（メタ）アクリル酸エステルモノマーと、
（ｂ）少なくとも１種の親水性酸性モノマーと、
（ｃ）少なくとも２種の共重合されたアルキレンオキシドを含み、そのアルキレンオキシドのうち少なくとも１種が親水性であり、かつ少なくとも１種が疎水性である、少なくとも１種の非反応性ポリ（アルキレンオキシド）コポリマーとを合することを含む方法。
【請求項４】  接着性物品を使用する方法であって、
支持体と、前記支持体の上に配置された湿潤粘着性感圧接着剤の層とを備える接着性物品を提供することと、
前記接着性物品を皮膚に接着することとを含み、その際、
前記湿潤粘着性感圧接着剤は、
（ａ）ホモ重合すると１０℃未満のＴｇを有する、少なくとも１種の共重合されたモノエチレン性不飽和（メタ）アクリル酸エステルモノマーと、
（ｂ）少なくとも１種の共重合された親水性酸性モノマーと、
（ｃ）少なくとも２種の共重合されたアルキレンオキシドを含み、そのアルキレンオキシドのうち少なくとも１種が親水性であり、かつ少なくとも１種が疎水性である、少なくとも１種の非反応性ポリ（アルキレンオキシド）コポリマーとを含む、方法。